(57)【要約】      （修正有）【課題】陸上競技、水泳競技、並びに球技など屋外スポーツの競技場や、高層ビル、もしくは城跡といった建造物等の照明に用いられる投光用ＬＥＤ照明装置において、より精密な角度調整が可能な投光用のＬＥＤ照明装置を提供する。【解決手段】ＬＥＤ基板を有する少なくとも一つの光源ユニット２と、一対の縦桟と一対の横桟を方形状に組み、光源ユニットを保持する保持枠３と、保持枠３を回動可能に支持するアーム部、及び締結手段によって締結される台座取付け孔及び該台座取付け孔を中心として円弧状に形成されたガイド孔が設けられた台座部を有する固定台４を備え、光源ユニット２と保持枠３を回動可能に接続するとともに、保持枠３と固定台４を回動可能に接続し、かつ固定台４と被設置部を回動可能に接続した。【選択図】図１
0003210872.tif 000002
【実用新案登録請求の範囲】
【請求項１】
ＬＥＤ基板を有する少なくとも一つの光源ユニットと、一対の縦桟と一対の横桟を方形状に組み、光源ユニットを保持する保持枠と、前記保持枠を回動可能に支持するアーム部、及び締結手段によって締結される台座取付け孔及び該台座取付け孔を中心として円弧状に形成されたガイド孔が設けられた台座部を有する固定台を備え、前記縦桟には前記アーム部端と締結されるアーム取付け孔及び該アーム取付け孔を中心として円弧状に形成されたアーム取付け用長孔が設けられ、前記横桟には前記光源ユニットが締結される光源取付け孔及び該光源取付け孔を中心として円弧状に形成された光源取付け用長孔が設けられたことを特徴とする投光用ＬＥＤ照明装置。
【請求項２】
ＬＥＤ基板を有する少なくとも一つの光源ユニットと、一対の縦桟と一対の横桟を方形状に組み、光源ユニットを保持する保持枠と、前記保持枠を回動可能に支持するアーム部、及び締結手段によって締結される台座取付け孔及び該台座取付け孔を中心として円弧状に形成されたガイド孔が設けられた台座部を有する固定台を備え、前記アーム部端には前記縦桟と締結されるアーム取付け孔及び該アーム取付け孔を中心として円弧状に形成されたアーム取付け用長孔が設けられ、前記横桟には前記光源ユニットが締結される光源取付け孔及び該光源取付け孔を中心として円弧状に形成された光源取付け用長孔が設けられたことを特徴とする投光用ＬＥＤ照明装置。
【請求項３】
前記ガイド孔の外周縁に、前記台座取付け孔を中心とし、所定の間隔で形成された角度目盛りが設けられていることを特徴する請求項１又は請求項２に記載の投光用ＬＥＤ照明装置。
【考案の詳細な説明】
【技術分野】
【０００１】
本考案は、投光用のＬＥＤ照明装置に関し、とくにＬＥＤの照射角度を簡易に調整可能な投光用ＬＥＤ照明装置に関するものである。
【背景技術】
【０００２】
従来、例えば陸上競技、水泳競技、並びに球技など屋外スポーツの競技場や、高層ビル、もしくは城跡といった建造物等の照明には、複数の投光用の照明装置がマトリクス状に配置された照明塔が用いられている。照明装置の光源としてＨＩＤランプが使用されていたが、近年ではＨＩＤランプに代わって高輝度ＬＥＤチップが搭載され、従来以上の照度が確保されている。
【０００３】
太とくに、野球やサッカーなどの球技スポーツの競技場では、競技者が競技球を認識し易いよう、夜間でも昼間と同程度の照度が求められるため、多くの照明装置が使用されている。したがって、照明器具の設置作業やメンテナンス作業は、多大の時間と経費が掛かるものであり、これらを削減できるよう種々の照明装置が提案されている。
【０００４】
例えば、特許文献１には、ＬＥＤチップを点灯させるための電源ユニットをＬＥＤから離して配置することで、ＬＥＤと電源ユニットの熱干渉を防ぐよう構成された投光用の照明装置が開示されている。また例えば、特許文献２には、光源から発生する熱を簡易な構成で迅速に放出するよう構成された投光用の照明装置が開示されている。
【０００５】
これらの照明装置は、ＬＥＤチップが搭載された光源部に取付けたアーム部及び台座を角度調整可能に設けるとともに、台座に円弧状の長穴を設けて水平方向に回動可能に構成されており、照明塔などの被設置部と角度調整されて設置される。
【先行技術文献】
【特許文献】
【０００６】
【特許文献１】特開２０１５−１４６２３４号公報
【特許文献２】特開２０１５−１４４０４５号公報
【考案の概要】
【考案が解決しようとする課題】
【０００７】
ところで、ＬＥＤチップは、その特性上、指向性が高いうえに、照射領域の中心部の照度ピーク領域が広く、競技場などの照明塔は、所望する照射領域内で照度分布に著しい差が生じないように、多数の照明装置の照射角度をそれぞれ微妙に調整する作業が必要となる。照射角度の調整作業は、精密な角度調整が肝要で、上記特許文献１及び特許文献２に記載の照明装置は、未だ角度調整機構に改良の余地があった。
【０００８】
上記の問題点に鑑み本考案者は、より精密な角度調整が可能な投光用のＬＥＤ照明装置を提供するに至った。
【課題を解決するための手段】
【０００９】
このため本考案の投光用ＬＥＤ照明装置は、ＬＥＤ基板を有する少なくとも一つの光源ユニットと、一対の縦桟と一対の横桟を方形状に組み、光源ユニットを保持する保持枠と、前記保持枠を回動可能に支持するアーム部、及び締結手段によって締結される台座取付け孔及び該台座取付け孔を中心として円弧状に形成されたガイド孔が設けられた台座部を有する固定台を備え、前記縦桟には前記アーム部端と締結されるアーム取付け孔及び該アーム取付け孔を中心として円弧状に形成されたアーム取付け用長孔が設けられ、前記横桟には前記光源ユニットが締結される光源取付け孔及び該光源取付け孔を中心として円弧状に形成された光源取付け用長孔が設けられたことを第１の特徴とする。
【００１０】
また、ＬＥＤ基板を有する少なくとも一つの光源ユニットと、一対の縦桟と一対の横桟を方形状に組み、光源ユニットを保持する保持枠と、前記保持枠を回動可能に支持するアーム部、及び締結手段によって締結される台座取付け孔及び該台座取付け孔を中心として円弧状に形成されたガイド孔が設けられた台座部を有する固定台を備え、前記アーム部端には前記縦桟と締結されるアーム取付け孔及び該アーム取付け孔を中心として円弧状に形成されたアーム取付け用長孔が設けられ、前記横桟には前記光源ユニットが締結される光源取付け孔及び該光源取付け孔を中心として円弧状に形成された光源取付け用長孔が設けられたことを第二の特徴とする。
【００１１】
さらに、前記ガイド孔の外周縁に、前記台座取付け孔を中心とし、所定の間隔で形成された角度目盛りが設けられていることを第三の特徴とする。
【考案の効果】
【００１２】
以上のように構成した投光用ＬＥＤ照明装置は、以下の優れた効果を有する。
（１）光源ユニットと保持枠を回動可能に接続するとともに、保持枠と固定台を回動可能に接続し、かつ固定台と被設置部を回動可能に接続するため、被設置部に対して光源ユニットの角度を細かく調整することができる。したがって、照射領域により精密な照度で投光可能となる。
（２）角度目盛りを備えているため、照射角度の調整作業が簡易に行うことができる。
【図面の簡単な説明】
【００１３】
【図１】考案に係る投光用ＬＥＤ照明装置の一実施例を示す斜視図である。
【図２】図１の投光用ＬＥＤ照明装置の光源ユニットを外した状態を示す斜視図である。
【図３】図２の平面図である。
【図４】図２の底面図である。
【図５】図２の側面図である。
【図６】本考案に係る投光用ＬＥＤ照明装置の他実施例を示す斜視図である。
【考案を実施するための形態】
【００１４】
以下、本考案を、一実施例を示す図面を参照しながら説明するが、本考案が本実施例に限定されないことは言うまでもない。
【実施例】
【００１５】
図１に示すように、本考案の投光用ＬＥＤ照明装置１は、複数の光源ユニット２と、複数の光源ユニット２が取付けられる保持枠３と、保持枠３を回動可能に支持するアーム部６ａ，６ｂ、及び締結手段によって照明塔などの被設置部に締結される台座部５を有する固定台４を備えている。
【００１６】
光源ユニット２は、光源であるＬＥＤ（発光ダイオード）が基板上に複数個実装されており、商用電源からケーブルを介して得た電力によりＬＥＤを発行させ、前面へ照射するよう構成されている。また図１に示すように、背面には複数の放熱板が設けられている。照度を調整できるよう電源ユニットや制御ユニットが設けられても良く、通常ＬＥＤ基板を有する光源ユニット２であれば、いずれの構成でも構わない。
【００１７】
保持枠３は、図２に示すように、一対の縦桟３１ａ，３１ｂと、一対の横桟３２ａ，３２ｂを方形状に組み、ボルト等の締結部材（図示せず）で連結して枠状に形成されている。縦桟３１ａ，３１ｂ及び横桟３２ａ，３２ｂは、金属板を断面略Ｌ字形に折り曲げて形成されている。また、横桟３２ａと３２ｂ間には、背板７が締結されるとともに、背板７の背面側に電源ＢＯＸ８が設けられている。
【００１８】
一対の縦桟３１ａ，３１ｂ夫々の略中央には、図１及び図５に示すように、後述するアーム部６ａ，６ｂを締結するためのアーム取付け孔３１１ａ，３１１ｂが形成されている。またこのアーム取付け孔３１１ａ，３１１ｂ夫々を中心として円弧状に形成されたアーム取付け用長孔３１２ａ，３１２ｂが形成されている。アーム部６ａ，６ｂと縦桟３１ａ，３１ｂが互いに回動可能な構成とされていれば良く、例えば図６（Ａ）に示すように、アーム部６ａの先端にアーム取付け孔３１１ａと、このアーム取付け孔３１１ａを中心として円弧状に形成されたアーム取付け用長孔３１２ａを設け、互いに回動可能に構成しても良い。
【００１９】
一対の横桟３２ａ，３２ｂ夫々には、図３及び図４に示すように、光源ユニット２を締結するための光源取付け孔３２１ａ，３２１ｂが形成されている。またこの光源取付け孔３２１ａ，３２１ｂ夫々を中心として円弧状に形成された光源取付け用長孔３２２ａ，３２２ｂが形成されている。この光源取付け孔３２１ａ，３２１ｂ及び光源取付け用長孔３２２ａ，３２２ｂに締結手段（図示せず）を介して光源ユニット２が連結される。そのため、光源ユニット２は、締結手段（図示せず）を緩めると、光源取付け孔３２１ａ，３２１ｂを中心として保持枠３に対して水平方向へ回動可能となり、光源ユニット２からの光照射方向を調整することができる。
【００２０】
固定台４は、保持枠３を回動可能に支持し、照明塔などの被設置部に投光用ＬＥＤ照明装置１を固定する。固定台４は、平板状の台座部５と、台座部５の左右両端から斜め前方へ立ち上がる一対のアーム部６ａ，６ｂとが金属板によって一体に形成されている。
【００２１】
固定台４の略中央部には、被設置部に締結手段（図示せず）によって締結するための台座取付け孔５１が形成されている。この台座取付け孔５１を中心として半円弧状に形成されたガイド孔５２が形成されている。そのため、投光用ＬＥＤ照明装置１は、締結手段（図示せず）を緩めると、台座取付け孔５１を中心として被設置部に対して水平方向へ回動可能となり、光源ユニット２からの光照射方向を略１８０度の範囲で変更することができる。また、ガイド孔５２の外周縁には、角度目盛り５３が設けられている。角度目盛り５３は、台座取付け孔５１を中心として所定の間隔（図示例では１０度間隔）ごとに目印が付けられている。よって、ガイド孔５２に取付けられた締結手段（図示せず）の目盛位置から保持枠３の向きを直ちに読み取ることができ、光照射方向の調整作業が簡易に行える。
【００２２】
アーム部６ａ，６ｂは、固定台４から斜め前方へ向けて立ち上げられている。アーム部６ａ，６ｂの先端には、縦桟３１ａ，３１ｂのアーム取付け孔３１１ａ，３１１ｂ及びアーム取付け用長孔３１２ａ，３１２ｂに対応する位置に締結部挿通孔６１ａが形成されており、縦桟３１ａ，３１ｂの側面に締結手段（図示せず）を介してアーム部６ａ，６ｂが連結される。したがって、アーム部６ａ，６ｂは、アーム取付け孔３１１ａ，３１１ｂを中心として保持枠３を回動可能に支持している。そのため、アーム取付け用長孔３１２ａ，３１２ｂに取付けられた締結手段（図示せず）を緩めると、保持枠３をアーム部６ａ，６ｂに対して鉛直方向へ回動させ、光源ユニット２からの光照射方向を調整することができる。
【００２３】
背板７は、金属板を折り曲げて形成したもので、その略中央にケーブル挿通孔７１が形成されている。背板７は、このケーブル挿通孔７１に、前面に配置された光源ユニット２の背部から、背面に配置された電源ＢＯＸ８へ向かう配線を集約させて通すことで、電路としての役割を担うとともに、保持枠３の補強材としての役割を担う。電源ＢＯＸ８は、金属板を折り曲げて箱状に形成したもので、光源ユニット２を発光させるために必要な機器やケーブル等が収納される。
【００２４】
尚、各締結手段は、例えばボルトを挿通しナットを螺着することで締結するほか、被締結部側にボルトを突設してナットを螺着する構成としても良い。また、図６（Ａ）に示すように、光源ユニット２は、１台のみの構成としても良く、図６（Ｂ）に示すように、水平方向に並列させた複数台の構成としても良く、さらに、複数段、複数列に構成しても良い。
【００２５】
角度目盛り５３は、図２に示すようにガイド孔５２の外周縁に設けるほか、図６に示すように、アーム取付け用長孔３１２ａの外周縁に設けても良く、図示していないが、光源取付け用長孔３２２ａの外周縁に設けても良い。このように本考案の要旨を逸脱しない範囲内において種々変更を加え得ることは言うまでもない。
【符号の説明】
【００２６】
１                  投光用ＬＥＤ照明装置
２                  光源ユニット
３                  保持枠
３１ａ，３１ｂ      縦桟
３２ａ，３２ｂ      横桟
３１１ａ，３１１ｂ  アーム取付け孔
３１２ａ，３１２ｂ  アーム取付け用長孔
３２１ａ，３２１ｂ  光源取付け孔
３２２ａ，３２２ｂ  光源取付け用長孔
４                  固定台
５                  台座部
５１                台座取付け孔
５２                ガイド孔
５３                角度目盛り
６ａ，６ｂ          アーム部
７                  背板
８                  電源ＢＯＸ
【図１】
0003210872.tif 000003
【図２】
0003210872.tif 000004
【図３】
0003210872.tif 000005
【図４】
0003210872.tif 000006
【図５】
0003210872.tif 000007
【図６】
0003210872.tif 000008